【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
複合構造の不整合領域を補修するためのパッチであって、
複数のプライを備え、前記不整合領域を覆うように構成され、おのおのが不整合領域周辺の歪みエネルギーをそれぞれ異なる速度で放出するように調節されたプライ特性を備えた少なくとも第１及び第２の領域を有する、複合積層パッチと、
前記積層パッチを前記複合構造に結合するための接着層と
を備えるパッチ。
【請求項２】
前記積層パッチが、各々が一のファイバ配向を有する複数のファイバ補強された複合積層プライを含み、且つ
前記第１の領域の前記プライが、前記第２の領域の前記プライとは異なる特性を有している、
請求項１に記載のパッチ。
【請求項３】
前記特性が、
ファイバの特性、
プライの厚さ、
プライの数、
プライ間の隙間の有無、
プライのファイバ配向、及び
領域内のプライのファイバ配向のシーケンス
のうちの少なくとも一つを含む、請求項２に記載のパッチ。
【請求項４】
前記積層パッチの第２の領域が前記第１の領域を囲んでおり、且つ
前記第２の領域が、前記第１の領域の層内破壊靱性より大きな層内破壊靭性を有している、
請求項１に記載のパッチ。
【請求項５】
前記積層パッチの第２の領域が前記第１の領域を囲んでおり、且つ
前記第１の領域が、前記第２の領域の層内破壊靱性より大きな層内破壊靭性を有している、
請求項１に記載のパッチ。
【請求項６】
前記複合積層パッチが、前記不整合領域周辺の歪みエネルギーを、前記第１及び第２の領域から歪みエネルギーが放出される速度とは異なる速度で放出する第３の領域を含んでいる、請求項１に記載のパッチ。
【請求項７】
前記第３の領域が前記第２の領域を囲んでおり、且つ
前記第２の領域が前記第１の領域を囲んでいる、
請求項６に記載のパッチ。
【請求項８】
前記積層パッチがファイバで補強された複数の複合積層プライを含み、且つ
前記第１の領域内の前記プライの少なくとも一つが前記第２の領域内に延びている、
請求項１に記載のパッチ。
【請求項９】
前記接着層が、前記積層パッチのそれぞれ第１及び第２の領域の下に位置し、前記第１及び第２の領域とほぼ同じ領域に広がる少なくとも第１及び第２のセクションを含んでおり、前記接着層の第１及び第２のセクションが、前記積層パッチの第１及び第２の領域に合わせて調節された特性をそれぞれ有している、請求項１に記載のパッチ。
【請求項１０】
複合構造の不整合領域を補修する方法であって、
複数のプライを備え、各領域のプライ特性がそれぞれ異なる層内破壊靱性を有するように調節された複数の領域を含む複合積層パッチであって、各領域の歪みエネルギー放出速度は各領域の層内破壊靱性を規定する引っ張り応力又は剛性に関連している、複合積層パッチを作製すること、並びに
前記積層パッチを前記複合構造の補修領域に結合すること
を含む方法。
【請求項１１】
前記パッチを作製することが、
ファイバ補強ポリマーのプライからなる一の成層を形成することであって、成層内に複数の領域を形成することを含むこと、並びに
前記成層を硬化させること
を含む、請求項１０に記載の方法。
【請求項１２】
前記パッチの領域の各々を目視検査することにより、結合された積層パッチの状態を定期的に決定すること
を更に含む、請求項１０に記載の方法。
【請求項１３】
前記結合することが、
前記積層パッチの複数の領域にそれぞれ関連する複数のセクションを有する接着層を形成すること、並びに
前記積層パッチと前記複合構造との間に前記接着層を配置すること
を含む、請求項１０に記載の方法。
【請求項１４】
請求項１０に記載の方法により作製されたパッチ。
【手続補正２】
【補正対象書類名】明細書
【補正対象項目名】００４９
【補正方法】変更
【補正の内容】
【００４９】
本発明の実施形態を、特定の例示的な実施形態に関連させて説明したが、これらの特定の実施形態は説明を目的としているのであって、限定を目的としているのではなく、当業者であれば他の変形例が想起可能であろう。
また、本発明は以下に記載する態様を含む。
（態様１）
複合構造の不整合領域を補修するためのパッチであって、
前記不整合領域を覆うように構成され、不整合領域周辺の歪みエネルギーをそれぞれ異なる速度で放出する少なくとも第１及び第２の領域を有する複合積層パッチと、
前記積層パッチを前記複合構造に結合するための接着層と
を備えるパッチ。
（態様２）
前記積層パッチが、各々が一のファイバ配向を有する複数のファイバ補強された複合積層プライを含み、且つ
前記第１の領域の前記プライが、前記第２の領域の前記プライとは異なる特性を有している、
態様１に記載のパッチ。
（態様３）
前記特性が、
ファイバの特性、
プライの厚さ、
プライの数、
プライ間の隙間の有無、
プライのファイバ配向、及び
領域内のプライのファイバ配向のシーケンス
のうちの少なくとも一つを含む、態様２に記載のパッチ。
（態様４）
前記積層パッチの第２の領域が前記第１の領域を囲んでおり、且つ
前記第２の領域が、前記第１の領域の層内破壊靱性より大きな層内破壊靭性を有している、
態様１に記載のパッチ。
（態様５）
前記積層パッチの第２の領域が前記第１の領域を囲んでおり、且つ
前記第１の領域が、前記第２の領域の層内破壊靱性より大きな層内破壊靭性を有している、
態様１に記載のパッチ。
（態様６）
前記複合積層パッチが、前記不整合領域周辺の歪みエネルギーを、前記第１及び第２の領域から歪みエネルギーが放出される速度とは異なる速度で放出する第３の領域を含んでいる、態様１に記載のパッチ。
（態様７）
前記第３の領域が前記第２の領域を囲んでおり、且つ
前記第２の領域が前記第１の領域を囲んでいる、
態様６に記載のパッチ。
（態様８）
前記積層パッチがファイバで補強された複数の複合積層プライを含み、且つ
前記第１の領域内の前記プライの少なくとも一つが前記第２の領域内に延びている、
態様１に記載のパッチ。
（態様９）
前記接着層が、前記積層パッチのそれぞれ第１及び第２の領域の下に位置し、前記第１及び第２の領域とほぼ同じ領域に広がる少なくとも第１及び第２のセクションを含んでおり、前記接着層の第１及び第２のセクションが、前記積層パッチの第１及び第２の領域に合わせて調節された特性をそれぞれ有している、態様１に記載のパッチ。
（態様１０）
複合構造の一領域を補修する方法であって、
それぞれ異なる層内破壊靱性を有する複数の領域を含む複合積層パッチを作製すること、並びに
前記積層パッチを前記複合構造の補修領域に結合すること
を含む方法。
（態様１１）
前記パッチを作製することが、
ファイバ補強ポリマーのプライからなる一の成層を形成することであって、成層内に複数の領域を形成することを含むこと、並びに
前記成層を硬化させること
を含む、態様１０に記載の方法。
（態様１２）
前記複数の領域を形成することが、各領域のプライに、層内破壊靱性に関してそれぞれ異なる特性を付与することを含む、態様１１に記載の方法。
（態様１３）
前記パッチの領域の各々を目視検査することにより、結合された積層パッチの状態を定期的に決定すること
を更に含む、態様１０に記載の方法。
（態様１４）
前記結合することが、
前記積層パッチの複数の領域にそれぞれ関連する複数のセクションを有する接着層を形成すること、並びに
前記積層パッチと前記複合構造との間に前記接着層を配置すること
を含む、態様１２に記載の方法。
（態様１５）
態様１０に記載の方法により作製されたパッチ。